(57)【要約】【課題】廃水処理後の被処理水に含まれる残オゾンの低減と、被処理水の生物処理の促進とを両立させることができる廃水処理装置及び廃水処理方法を提供する。【解決手段】処理対象となる被処理水を収容する第１の収容槽１０と、第１の収容槽１０内にオゾンを含むマイクロナノバブルを供給するオゾン供給手段２０と、オゾンによって処理された被処理水を残オゾンとともに収容する第２の収容槽３０と、第２の収容槽３０内に酸素を含むマイクロナノバブルを供給する酸素供給手段４０と、第２の収容槽３０内に収容され、少なくとも好気性微生物が担持される複数の担体５１と、から少なくとも構成されている。【選択図】図１
2019135043.tif 000002
【特許請求の範囲】
【請求項１】
処理対象となる被処理水を収容する第１の収容槽と、該第１の収容槽内にオゾンを含むマイクロナノバブルを供給するオゾン供給手段と、前記オゾンによって処理された被処理水を残オゾンとともに収容する第２の収容槽と、該第２の収容槽内に酸素を含むマイクロナノバブルを供給する酸素供給手段と、前記第２の収容槽内に収容され、少なくとも好気性微生物が担持される複数の担体と、から少なくとも構成されていることを特徴とする廃水処理装置。
【請求項２】
前記担体に通性嫌気性微生物が担持されていることを特徴とする請求項１に記載の廃水処理装置。
【請求項３】
前記担体に活性炭が担持されていることを特徴とする請求項１または２に記載の廃水処理装置。
【請求項４】
前記担体に酵素が担持されていることを特徴とする請求項１ないし３のいずれかに記載の廃水処理装置。
【請求項５】
前記第２の収容槽の上部に、前記第１の収容槽内で処理された被処理水を導入する導入部を備えるとともに、前記第２の収容槽の下部に、該第２の収容槽内で処理された被処理水を排出する排出部を備えることを特徴とする請求項１ないし４のいずれかに記載の廃水処理装置。
【請求項６】
前記第２の収容槽の下部に、該第２の収容槽の周方向に沿って酸素を含むマイクロナノバブルを吐出するバブル吐出口が形成されていることを特徴とする請求項５に記載の廃水処理装置。
【請求項７】
前記導入部が、前記第２の収容槽の内周壁近傍に設けられていることを特徴とする請求項５または６に記載の廃水処理装置。
【請求項８】
前記担体は長辺と短辺とを備えた略直方体に形成されていることを特徴とする請求項１ないし７のいずれかに記載の廃水処理装置。
【請求項９】
処理対象となる被処理水を収容する第１の収容槽にて、オゾンを含むマイクロナノバブルを供給するオゾン供給工程と、前記オゾンによって処理された被処理水を残オゾンとともに収容する第２の収容槽にて、酸素を含むマイクロナノバブルを供給するとともに、少なくとも好気性微生物が担持される複数の担体によって生物処理を行う生物処理工程と、から少なくとも構成されていることを特徴とする廃水処理方法。
【請求項１０】
前記担体に通性嫌気性微生物が担持されることを特徴とする請求項９に記載の廃水処理方法。
【発明の詳細な説明】
【技術分野】
【０００１】
本発明は、協同事業系の複合建物、食品・化学・製紙・自動車工場等から排出される有機系廃水を含む廃水を処理する廃水処理装置及び廃水処理方法に関する。
【背景技術】
【０００２】
従来の廃水処理装置には、処理対象となる汚水を収容する処理槽内にオゾンを供給することで、その強力な酸化作用によって、汚水に含まれる細菌類の殺菌、脱臭及び有機物や油脂分を分解し除去する等の効果を得るようにしたものがある（例えば、特許文献１参照）。
【０００３】
このようなオゾンは、バブル発生器等により微小径に泡沫化することで、汚水と効果的に混合し汚水内の有機物分解を促進したのち、多数のオゾン泡沫の大部分が時間経過とともに圧壊、消滅することが知られている。
【０００４】
また、廃水処理装置には、処理槽内に微生物を担持する担体を収容することで、微生物による生物処理を一定時間かけて行い、汚水に含まれる有機分を分解し浄化するようにしたものがある（例えば、特許文献２参照）。
【先行技術文献】
【特許文献】
【０００５】
【特許文献１】特開２００９−１３１８２７号公報（第６頁、第１図）
【特許文献２】特開２００６−１３０４４８号公報（第６頁、第１図）
【発明の概要】
【発明が解決しようとする課題】
【０００６】
しかしながら、特許文献１にあっては、汚水との混合効率の促進、そして殺菌効果や有機物分解等の廃水処理効果の促進のためには、オゾンを含有するバブルの径をマイクロレベル、更にはナノレベルと微小化することが望まれる一方、バブルの径を微小化するに伴い、これらのバブルは容易に圧壊することなく長時間にわたり処理後の廃水に含まれた状態で滞留するため、これらのバブルに超音波を照射する等の別段の手段を講じて圧壊させる必要が生じ、処理装置の規模が肥大化するという問題がある。
【０００７】
また、特許文献２にあっては、処理槽内に収容した担体が処理対象となる被処理水と十分に接触することができない可能性があることから、生物処理による所期の有機物の分解を達成するために長い時間を要し、廃水処理が非効率的となる虞がある。
【０００８】
本発明は、このような問題点に着目してなされたもので、廃水処理後の被処理水に含まれる残オゾンの低減と、被処理水の生物処理の促進とを両立させることができる廃水処理装置及び廃水処理方法を提供することを目的とする。
【課題を解決するための手段】
【０００９】
前記課題を解決するために、本発明の廃水処理装置は、
処理対象となる被処理水を収容する第１の収容槽と、該第１の収容槽内にオゾンを含むマイクロナノバブルを供給するオゾン供給手段と、前記オゾンによって処理された被処理水を残オゾンとともに収容する第２の収容槽と、該第２の収容槽内に酸素を含むマイクロナノバブルを供給する酸素供給手段と、前記第２の収容槽内に収容され、少なくとも好気性微生物が担持される複数の担体と、から少なくとも構成されていることを特徴としている。
この特徴によれば、第１の収容槽にてオゾンによって殺菌処理された被処理水と残オゾンを、好気性微生物を担持した複数の担体を有する第２の収容槽に収容することで、被処理水中を漂う残オゾンのバブルを担体に吸着させる結果、オゾン分子同士を積極的に酸素分子に化学変化させて残オゾンを低減できると同時に、水酸基ラジカルを豊富に生成させることで有機物の分解を促進し、当該酸素分子及び同じく担体に吸着した酸素バブルにより生物処理を活性化させることができる。すなわち担体をオゾン分解及び生物処理の反応の場として利用できる。
【００１０】
前記担体に通性嫌気性微生物が担持されていることを特徴としている。
この特徴によれば、微小径の気泡からなるマイクロナノバブルによって水の抵抗が減って浸透性が高まり、担体の内部まで水が浸入し易くなるため、内部に存在する通性嫌気性微生物が刺激されて活性化する。この結果、好気性微生物及び通性嫌気性微生物の両方が活性化し、食物連鎖（微生物同士の共食いを含む）が促進されるため、余剰な汚泥を発生させることなく、早期且つ高度な生物処理を達成することができる。
【００１１】
前記担体に活性炭が担持されていることを特徴としている。
この特徴によれば、担体に担持された活性炭により、残オゾンを積極的に生物処理に有効な酸素に分解できる。また、活性炭の遠赤外線効果により、例えば水温１０℃以下という悪条件下でも微生物の活性化が維持できる。
【００１２】
前記担体に酵素が担持されていることを特徴としている。
この特徴によれば、好気性微生物の活動を活発化させる酵素が担持されているので、酵素の働きにより好気性微生物の繁殖が促進される。
【００１３】
前記第２の収容槽の上部に、前記第１の収容槽内で処理された被処理水を導入する導入部を備えるとともに、前記第２の収容槽の下部に、該第２の収容槽内で処理された被処理水を排出する排出部を備えることを特徴としている。
この特徴によれば、第２の収容槽内の被処理水を、該第２の収容槽の上部に位置する導入部から下部に位置する排出部に至るまでの流動の過程で確実に生物処理できる。
【００１４】
前記第２の収容槽の下部に、該第２の収容槽の周方向に沿って酸素を含むマイクロナノバブルを吐出するバブル吐出口が形成されていることを特徴としている。
この特徴によれば、第２の収容槽の下部にて吐出された酸素のマイクロナノバブルが、その浮力によって第２の収容槽の被処理水及び担体を伴い内周壁に沿って回転しながら上昇する回転上昇流を生成できるため、第２の収容槽内の流動性が高まると同時に、マイクロナノバブルの圧壊作用による水酸基ラジカル効果により、浮遊物質（ＳＳ）の分解が促進されるため、余剰汚泥がほとんど発生しない装置を提供することができる。
【００１５】
前記導入部が、前記第２の収容槽の内周壁近傍に設けられていることを特徴としている。
この特徴によれば、第２の収容槽の内周壁近傍に導入される被処理水と、この内周壁に沿う回転上昇流が生成された酸素（空気）のマイクロナノバブルとを効率よく混合させることができる。
【００１６】
前記担体は長辺と短辺とを備えた略直方体に形成されていることを特徴としている。
この特徴によれば、被処理水内にて漂う担体の流動性を高めることができるばかりか、流動に伴う担体の欠けの発生を抑制できる。
【００１７】
本発明の廃水処理方法は、
処理対象となる被処理水を収容する第１の収容槽にて、オゾンを含むマイクロナノバブルを供給するオゾン供給工程と、前記オゾンによって処理された被処理水を残オゾンとともに収容する第２の収容槽にて、酸素を含むマイクロナノバブルを供給するとともに、少なくとも好気性微生物が担持される複数の担体によって生物処理を行う生物処理工程と、から少なくとも構成されていることを特徴としている。
この特徴によれば、第１の収容槽にて、オゾン供給工程でオゾンによって殺菌処理された被処理水と残オゾンに対し、好気性微生物を担持した担体を収容した第２の収容槽にて、生物処理工程で酸素を含むマイクロナノバブルを供給することで、この酸素で活性化した好気性微生物による被処理水の生物処理を効果的に行うとともに、残オゾンに付加された酸素により水酸基ラジカル及び酸素に積極的に化学変化させることで、この残オゾンを早期に低減させることができる。
【００１８】
前記担体に通性嫌気性微生物が担持されることを特徴としている。
この特徴によれば、微小径の気泡からなるマイクロナノバブルによって水の抵抗が減って浸透性が高まり、担体の内部まで水が浸入し易くなるため、内部に存在する通性嫌気性微生物が刺激されて活性化する。この結果、好気性微生物及び通性嫌気性微生物の両方が活性化し、食物連鎖（微生物同士の共食いを含む）が促進されるため、余剰な汚泥を発生させることなく、早期且つ高度な生物処理を達成することができる。
【図面の簡単な説明】
【００１９】
【図１】実施例における廃水処理装置を示す平面図である。
【図２】原水槽及びオゾン反応槽を示す縦断面図である。
【図３】オゾンのマイクロバブル発生ノズルを示す縦断面図である。
【図４】生物処理槽を示す縦断面図である。
【図５】酸素のマイクロバブル発生ノズルを示す縦断面図である。
【図６】菌床及び担体の構造を説明する図である。
【図７】担体の他の実施例を示す図である。
【発明を実施するための形態】
【００２０】
本発明に係る廃水処理装置及び廃水処理方法を実施するための形態を実施例に基づいて以下に説明する。
【実施例１】
【００２１】
実施例１に係る廃水処理装置につき、図１から図７を参照して説明する。先ず図１の符号１は、本発明の適用された廃水処理装置である。この廃水処理装置１は、本実施例では食品工場に設置され、当該工場から廃棄される油脂分等の有機分を含む汚水を被処理水として、河川等に放流する前に浄化処理する装置であり、沈殿槽や膜処理手段を設けずして、河川、水路、海域等へ直接に放流ができる当該廃水処理装置１は、他に類を見ないものである。
【００２２】
図１に示されるように、廃水処理装置１は、その上流側に工場２内から場外に排出される汚水を集水する原水槽４に接続されている。なお、本発明に係る廃水処理装置は、本実施例の食品工場に限らず、マンション等の集合住宅の生活排水等の一般排水、及び事業系の複合建物、化学工場等、有機系廃水を含む病院、ホテル、飲食店等に広く適用可能であり、若しくは下水処理場での運用も可能である。
【００２３】
また廃水処理装置１は、その下流側に処理後の汚水を排出する排水管３９が接続されており、浄化された廃水は排水管３９を介して図示しない河川等に放流される。
【００２４】
廃水処理装置１は、第１の処理槽としてオゾン処理を行うためのオゾン反応槽１０と、オゾン処理された被処理水が導入され第２の処理槽として生物処理を行うための生物処理槽３０と、後述するオゾン供給手段としてのオゾンバブル発生装置２０、及び酸素（空気）供給手段としての酸素（空気）バブル発生装置４０とを主に備えている。以下、廃水処理装置１の各構成について詳述する。
【００２５】
図２に示されるように、原水槽４は、工場２から集められた廃水が廃水溝３を介し導入される平面視略矩形の水槽であり、原水槽４内には次のオゾン反応槽１０に移送するための原水ポンプ５と、水位センサとしてのフロート６が設置される。なお本実施例では原水槽４の内部容量は略２トンであるが、実施上は１トン未満の貯留量にてフロート制御により次のオゾン反応槽１０に移送される。
【００２６】
次にオゾン反応槽１０は、原水槽４からの被処理水が原水ポンプ５に接続された移送管７を介し導入される略円筒状の水槽であり、オゾン反応槽１０内には、オゾンバブル発生装置２０を構成する吸水ポンプ２７と、次の生物処理槽３０に移送するための移送ポンプ１５と、水位センサとしてのフロート１６が設置される。なお本実施例ではオゾン反応槽１０の内部容量は略２．７トンである。またオゾン反応槽１０の外部には、オゾンバブル発生装置２０を構成するオゾン発生装置２９が設置され、接続管２６を介し後述するマイクロナノバブル発生ノズル２５に接続されている。
【００２７】
次に、図１〜図３に示されるように、オゾンバブル発生装置２０について説明する。オゾンバブル発生装置２０は、オゾン反応槽１０の底面に配置され、液体を吸水する吸水ポンプ２７と、マイクロナノバブル発生ノズル２５と、オゾン反応槽１０の外部に設けられたオゾン発生装置２９とにより主に構成されている。この吸水ポンプ２７は、その下部の吸水部２７ａからオゾン反応槽１０内部の液体を吸水するようになっている。
【００２８】
図２に示されるように、マイクロナノバブル発生ノズル２５は、吸水ポンプ２７から延びる接続パイプ２８の先端に取付けられており、吸水ポンプ２７にて吸水された液体は、マイクロナノバブル発生ノズル２５に供給されて吹き出されるようになっている。
【００２９】
マイクロナノバブル発生ノズル２５は、空気を自吸するせん断式に属するものとする。なお、オゾンバブル発生装置２０を外部に設置し、循環ライン設ける場合は、加圧溶解方式でも適用可能である。マイクロナノバブル発生ノズル２５の機種は何であっても良いが、固形物の流入があっても目詰まりを起こさないものであることが必要である。その一例として、図３に示すように、マイクロナノバブル発生ノズル２５は、吸水ポンプ２７の接続パイプ２８に接続されて液体が供給される供給部２１と、この供給部２１から供給される液体を圧縮しながら通過させる圧縮部２２（通過部）と、この圧縮部２２を通過した液体が吹き出される吹出部２３と、を有する略円筒形状（ストレートパイプ形状）をなすノズル部材となっている。
【００３０】
液体の入口である供給部２１の内径は、圧縮部２２に対しほぼ平行になっており、吹出部２３の内径は、圧縮部２２から拡径されるようになっている。即ち圧縮部２２の内径が最小となっており、供給部２１から供給された液体は、圧縮部２２を通過する際に流速が上がることで、ベンチュリー効果により汚水の流速が高速になって吹出部２３から吹き出される。
【００３１】
オゾン反応槽１０の外部に設置されたオゾン発生装置２９によって発生し、このオゾン発生装置２９に接続された吸気管２６を介し吸気されたオゾンは、複数分岐した枝管２４を通って圧縮部２２内に噴出されるようになっている。枝管２４から圧縮部２２内に噴出された気泡は、超微細な気泡となって圧縮部２２内の液体と混合される。そして、この超微細な気泡がオゾンのマイクロナノバブルとして、吹出部２３からオゾン反応槽１０内部に噴出される。
【００３２】
すなわち、マイクロナノバブル発生ノズル２５は、オゾン反応槽１０内の液体の水面下に水没され、水中にオゾンのマイクロナノバブルを含む液体を吹き出すようになっている。
【００３３】
次に図４に示されるように、生物処理槽３０について説明する。生物処理槽３０は、オゾン反応槽１０からの被処理水が移送ポンプ１５に接続された移送管１７を介し導入される略円筒状の水槽であり、生物処理槽３０内には、酸素（空気）マイクロナノバブル（以下、単に酸素（空気）バブルと称する場合もある）を吐出するバブル吐出口３０ｃと、開閉バルブ３８を介し排水管３９に開閉可能に連通する排出口３０ｄと、水位センサとしてのフロート３６が設置される。
【００３４】
なお本実施例では生物処理槽３０の内部容量は略５４トン、すなわちオゾン反応槽１０の略２０倍の容量であり、平面方向の内径に比して上下方向の高さが長寸に形成されている。このように、より大きい内部容量を有する生物処理槽３０にて、酸素（空気）マイクロバブルを広範囲に流動させることで、生物処理と残オゾンを低減する化学変化とを促進することができる。またバブル吐出口３０ｃは、生物処理槽３０に連通してその外部に設置された酸素（空気）バブル発生装置４０に接続されている。
【００３５】
また、生物処理槽３０の内部には、多数の菌床５０，５０，…が投入されており、これら菌床５０，５０，…は、好気性微生物及び通性嫌気性微生物の菌床として使用されるようになっている。菌床５０，５０，…は、長辺と短辺とを備えた略直方体の担体５１，５１，…を成して生物処理槽３０の内部を自由に移動できる。このように担体５１，５１，…が略直方体に形成されていることで、被処理水内にて漂う担体５１，５１，…の流動性を高めることができるばかりか、流動に伴う担体５１，５１，…の欠けの発生を抑制できる。菌床５０は複数の空孔を有する鉱物質を原料とする合成樹脂から形成されている。また、この菌床５０，５０，…には、好気性微生物及び通性嫌気性微生物のみならず、後述するように粉末状に生成された活性炭５８が添加されているが（図６参照）、これに限らず、中和剤、臭気抑制剤等を添加させることもできる。
【００３６】
生物処理槽３０は、前述した移送管１７の先端に開口した導入口１７ａが生物処理槽３０の上部に設けられるとともに、開閉バルブ３８を介して排水管３９に連通する排出口３０ｄが生物処理槽３０の下部の底面近傍に設けられているため、移送管１７の導入口１７ａから生物処理槽３０に導入された被処理水が生物処理されながら下降するようになる。これによれば、生物処理槽３０の上部から導入された被処理水が生物処理槽３０の下部に至るまで流動することになるため、生物処理槽３０内における生物処理の時間を長く採ることができる。排水管３９はいったん生物処理槽３０の水面レベルまで立ち上げられ、導入口１７ａから流入した水量と同量の水量が自然流下でそのまま放流されるようになっている。
【００３７】
更にバブル吐出口３０ｃは、生物処理槽３０の内周壁３０ａの周方向に開口しているため、バブル吐出口３０ｃからマイクロナノバブルが吐出されると、円筒状の生物処理槽３０内に循環流が生じ、菌床５０，５０，…にマイクロナノバブルが付着することで浮力を高めつつ循環流によって上方に移動され、マイクロナノバブルが経時的に圧壊又は離脱するのに伴い再び下方に投下されるため、生物処理を効果的に行うことができる。
【００３８】
なお、生物処理槽３０の内周面には、菌床５０，５０，…を攪拌するための攪拌板等を設けてもよく、このようにすることで、生物処理槽３０の内部が回転駆動されると、菌床５０，５０，…が前記した攪拌板によって上方に移動され、再び下方に投下されるため、生物処理を効果的に行うことができる。
【００３９】
次に、図１、図４及び図５に示されるように、酸素（空気）バブル発生装置４０について説明する。なお、上記したオゾンバブル発生装置２０と同様の構成については、同じ符号を付して説明を省略する。
【００４０】
酸素（空気）バブル発生装置４０は、生物処理槽３０の下部の底面近傍に開口した吸水口３０ｂに連通した接続管４８に接続され、液体を吸水する吸水ポンプ４７と、マイクロナノバブル発生ノズル４５とにより主に構成されている。この吸水ポンプ４７は、生物処理槽３０の吸水口３０ｂを介し生物処理槽３０内部の液体を吸水するようになっている。
【００４１】
マイクロナノバブル発生ノズル４５は、吸水ポンプ４７から延びる接続管４８の下流側に取付けられており、吸水ポンプ４７にて吸水された液体は、マイクロナノバブル発生ノズル４５に供給されて吹き出されるようになっている。
【００４２】
大気中から吸気管４６を介しマイクロナノバブル発生ノズル４５内に吸気された酸素を含む空気は、複数分岐した枝管２４を通って圧縮部２２内に噴出されるようになっている。枝管２４から圧縮部２２内に噴出された気泡は、超微細な気泡となって圧縮部２２内の液体と混合される。そして、この超微細な気泡が酸素（空気）のマイクロナノバブルとして、吹出部２３からバブル吐出口３０ｃを介し生物処理槽３０内部に噴出される。
【００４３】
すなわち、酸素（空気）のマイクロナノバブル発生ノズル４５は、生物処理槽３０内に連通する接続管４８に配設され、バブル吐出口３０ｃを介し水中にマイクロナノバブルを含む液体を吹き出すようになっている。
【００４４】
次に、上記実施形態の処理装置１による汚水の処理手順を図１から図５を用いて説明する。まず、工場２内から排出される汚水（被処理水）が原水槽４内にて一定量以上貯水されると、フロート６が所定水位を検知することで、原水ポンプ５が作動して原水槽４内の被処理水がオゾン反応槽１０に移送される。すなわち、原水槽４内の被処理水は間欠的にオゾン反応槽１０に移送される。
【００４５】
オゾン反応槽１０では、オゾン供給工程すなわちマイクロナノバブル化されたオゾンによるオゾン処理（以下、単にオゾン処理と称する）が行われる。詳述すると、強力な酸化力を有するオゾン（Ｏ３）がマイクロナノレベルの微小径に気泡化することにより、大量のＯＨ基（ＯＨ−）が発生するとともに、被処理水に含まれる有機物を物理的に分解する。このように、オゾン（Ｏ３）によって有機物が物理的に分解されるため、後述の生物処理槽３０において微生物による捕食がし易くなる。
【００４６】
特に、本発明のオゾン処理によれば、従来の水処理の課題である被処理水の浮遊物質濃度（ＳＳ）、及びノルマルヘキサン抽出物質（ｎ−Ｈｅｘ）を効果的に分解し低減させることができるため、原水中のＳＳ、ｎ−Ｈｅｘが高いほど適合性を有し、通常の場合、滞留時間３時間程度で、ＳＳ、ｎ−Ｈｅｘは１／４以下となり、また生物化学的酸素要求量（ＢＯＤ）が１／２以下に低減する結果を得ている。
【００４７】
次に、オゾン反応槽１０内が一定量以上貯水されると、オゾン反応槽１０に設けられたフロート１６が所定水位を検知することで、移送ポンプ１５が作動して、上記したようにオゾン反応槽１０でオゾン処理された被処理水が移送管１７を介し生物処理槽３０に移送される。すなわち、オゾン反応槽１０内の被処理水は間欠的に生物処理槽３０に移送される。なお、オゾン反応槽１０内のオゾン（Ｏ３）は、上記したように酸化作用を生じることで、その大部分が酸素（Ｏ２）に化学変化するが、残りは依然としてオゾンのマイクロナノバブルとして残留しており（以下、残オゾンと称する）、この残オゾンは被処理水と共に生物処理槽３０に移送される。
【００４８】
図３に示されるように、生物処理槽３０に移送された被処理水は、生物処理工程すなわち生物処理槽３０内で好気性微生物を担持する菌床５０，５０，…と撹拌されて混合されることで、生物処理される。より詳しくは、酸素（空気）バブル発生装置４０により生成された酸素（空気）のマイクロナノバブルが含まれた液体が、生物処理槽３０の下部の底面近傍に設けられたバブル吐出口３０ｃより生物処理槽３０内に吐出されるようになっている。
【００４９】
このバブル吐出口３０ｃは、略円筒状の生物処理槽３０の内周壁３０ａの周方向に沿う方向に開口しており、バブル吐出口３０ｃから吐出された酸素（空気）のマイクロナノバブルが、その浮力によって生物処理槽３０の被処理水及び担体５１を伴い、内周壁３０ａに沿って回転しながら上昇する回転上昇流を生成できるため、生物処理槽３０内の流動性が高まると同時に、マイクロナノバブルの圧壊作用による水酸基ラジカル効果により、浮遊物質（ＳＳ）の分解が促進されるため、余剰汚泥がほとんど発生しない装置を提供することができる。なお回転上昇流は、水面近傍に達した後、続いて生物処理槽３０の略中心部において下降する下降流を生成し、更に生物処理槽３０の底面近傍に達した下降流は、再び回転上昇流に合流することで、生物処理槽３０内を循環する循環流を生成する。
【００５０】
ここで被処理水をオゾン反応槽１０から生物処理槽３０に移送する移送管１７の導入口１７ａが、生物処理槽３０の上部に設けられ、また生物処理された被処理水を排出する排出口３０ｄが、生物処理槽３０の下部に設けられているため、生物処理槽３０内の被処理水を、該生物処理槽３０の上部に位置する導入口１７ａから下部に位置する排出口３０ｄに至るまでの流動の過程で確実に生物処理できる。
【００５１】
また導入口１７ａは、生物処理槽３０上部の内周壁３０ａ近傍に開口しているため、この導入口１７ａから吐出され生物処理槽３０に移送したばかりの被処理水が、直ぐに前記した下降流に沿って下降してしまう虞を回避し、同じく内周壁３０ａの近傍にて回転上昇流が生成された酸素のマイクロナノバブルと対向することで効率よく混合させることができる。
【００５２】
次に、酸素（空気）バブル発生装置４０が発生させた直径５０μｍ以下の気泡は最も長時間水中に滞留する気泡径となっているため、生物処理槽３０にて滞留していた液体は、マイクロバブルを含むと同時に、酸素が多く溶け込んでおり、生物処理槽３０内の被処理水及び菌床５０，５０，…に十分な酸素が供給され続けることになる。
【００５３】
詳しくは、酸素（空気）バブル発生装置４０は、直径５０μｍ以下の気泡を発生させる事が可能であることから、通常のバブリングに比べて液体に多くの酸素を溶解でき、生物処理槽３０内の被処理水及び菌床５０，５０，…に十分な酸素が供給され続けることになる。前記液体は気泡が滞留された状態で被処理水及び菌床５０，５０，…に浸透するため、循環流による撹拌により空気と接触させるのみでは届きづらい被処理水及び菌床５０，５０，…の塊の内部に存在する好気性微生物に対して効果的に空気を供給することができ、好気性微生物を活性化して高い好気性分解能力を発揮させることができる。
【００５４】
また、外気（空気）が酸素（空気）バブル発生装置４０により超微細な気泡として液体中に混合されるため、この空気を汚水中に長時間滞留させることができるようになり、酸素（空気）バブル発生装置４０にて混合された空気（溶存酸素）を汚水中に留まらせて、河川、水路、海域又は下水処理施設等に通じる排水管３９内を好気性とすることができ、排水管３９内の洗浄頻度を少なくする効果が期待できる。
【００５５】
このように、オゾン反応槽１０にて、オゾン供給工程でオゾンによって殺菌処理された被処理水と残オゾンに対し、好気性微生物を担持した担体５１を収容した生物処理槽３０にて、生物処理工程で酸素のマイクロナノバブルを供給することで、この酸素で活性化した好気性微生物による被処理水の生物処理を効果的に行うとともに、残オゾンに付加された酸素により水酸基ラジカル及び酸素に積極的に化学変化させることで、この残オゾンを早期に低減させることができる。またこの大量に発生する水酸基ラジカルにより浮遊物質（ＳＳ）が分解されるため、余剰汚泥の発生が極端に少なくなる。
【００５６】
以下、菌床５０について、図７を参照して説明する。ここで、菌床５０とは、担体５１に好気性微生物及び通性嫌気性微生物を植菌したものであり、担体５１とは、微生物を植菌していない状態のものを意味する。また、担体５１を構成する鉱物質を原料とする合成樹脂とは、植物樹脂等の天然樹脂を除くもので、好気性微生物によって分解されないものを意味する。
【００５７】
なお、担体５１への植菌については、本発明に係る廃水処理装置１を稼働させることにより、自然界由来の地場の土壌菌が自然に植菌され菌床５０が生成される。以下、菌床５０及び担体５１について、図７を参照して説明する。
【００５８】
菌床５０は複数の空孔５２を有する鉱物質を原料とする合成樹脂からなる担体５１と、担体５１内に形成された複数の空孔内の少なくとも一部に、好気性微生物及び通性嫌気性微生物と、好気性微生物の活動を活発化させる所定量の酵素とを担持するとともに、微小径の粉末状に生成された活性炭５８を含有して構成している。図７は、菌床５０及び担体５１の構造を示す図である。鉱物質を原料とする合成樹脂からなる担体５１には空孔５２が形成されている。空孔５２は、その少なくとも一部が他の空孔と連通したものと、他の空孔と連通していないものを含んでいる。空孔５２の大きさは約５０μｍから約８００μｍ程度の大きさを有し、いろいろな大きさの空孔５２が担体５１の中にほぼ均一に分散にしている。また、空孔５２には酵素５３が担持されるとともに粉末状の活性炭５８を含有し、空孔５２は好気性微生物及び通性嫌気性微生物（図示せず。）の巣となる。大きな空孔５２は酵素で満たされることはなく、後述のように撹拌作用により空孔５２には汚水と空気が出入りして、好気性微生物が繁殖するのに適した環境となる。また、小さな空孔５２はその空孔が酵素で満たされた状態となるため、汚水と空気が出入りはほとんどないが、少しずつ酵素が滲み出し、長期間にわたり酵素の供給源として機能する。
【００５９】
空孔５２には、好気性微生物の活動を活発化させる酵素が担持されているので、酵素の働きにより好気性微生物の繁殖が促進される。担体に担持させる酵素は、汚水処理装置の設置環境、運転状況が変化しても、好気性微生物の繁殖が影響を受けないようにするために、複数の酵素を使用して、好気性微生物が繁殖できるようにしている。なお本実施例では、空孔５２に上記した酵素が担持されているが、必ずしも担体５１に酵素を担持させる必要はない。
【００６０】
また担体５１の内部、特に中心部の空孔５２には、上記した好気性微生物のほか、一定量の通性嫌気性微生物が存在している。この通性嫌気性微生物は、通常の曝気水ではほとんど活性化されることはないが、微小径の気泡からなるマイクロナノバブルの場合は水の抵抗が減って浸透性が高まり、担体５１の内部まで水が浸入し易くなるため、内部に存在する通性嫌気性微生物が刺激されて活性化する。この結果、好気性微生物及び通性嫌気性微生物の両方が活性化し、食物連鎖（微生物同士の共食いを含む）が促進されるため、余剰な汚泥を発生させることなく、早期且つ高度な生物処理を達成することができる。一例として、本発明に係る廃水処理装置を、青果物の加工工場で排出される廃水処理に適用したところ、所要動力を従来の約１／１０と大幅に削減し画期的な省エネを達成するとともに、従来の問題点であった臭気を数日で解消し、且つ放流水の劇的な浄化に成功した。
より詳しくは、本発明の廃水処理装置によれば、所要動力を１２．５ｋＷから１．５ｋＷに削減したにも関わらず、放流水の生物化学的酸素要求量（ＢＯＤ）が５００ｍｇ／Ｌから２００ｍｇ／Ｌに低減し、ノルマルヘキサン抽出物質（ｎ−Ｈｅｘ）が１７ｍｇ／Ｌから２ｍｇ／Ｌに低減し、溶存酸素量（ＤＯ）が０．５ｍｇ／Ｌから５ｍｇ／Ｌに上昇した。なお溶存酸素量（ＤＯ）は、ブロアを停止した方が上昇するという効果を得ており、この効果は、ブロアを停止することで、マイクロナノバブルの水の抵抗を減らす作用により、担体５１の内部、特に中心部の空孔５２に存在している通性嫌気性微生物が活発に活動したためと考えられる。
【００６１】
以上のように、菌床５０は、鉱物質を原料とする合成樹脂により構成されているため微生物による分解がなく、担体５１、延いては微生物が担持されている複数の空孔を安定して確保できることになる。また、担体の空孔内に担持した活性炭及び／又は酵素の働きによって、好気性微生物の繁殖速度を高めることができるばかりか、好気性微生物及び通性嫌気性微生物を十分繁殖させることができ、悪臭を抑えることもできる。また、好気性微生物及び通性嫌気性微生物が空孔内に担持されるため、循環流による衝撃または散水によっても流れ出ることもない。
【００６２】
またオゾン反応槽１０から生物処理槽３０に移送された被処理水に含まれる残オゾンのバブルは、生物処理槽３０内の被処理水及び酸素バブルとともに生物処理槽３０内の循環流の中を漂流する。ここで同じく被処理水とともに漂流する担体５１が残オゾンのバブル及び酸素（空気）のバブルを集める場となり、すなわち残オゾンのバブルが担体５１の空孔５２に吸着されることで、オゾン分子同士が酸素分子となる化学変化が促進される。特に、担体５１の空孔５２内には活性炭が含有されていることから、当該活性炭のポーラス内に積極的にオゾン分子を集め、これらを容易に分解すなわち酸素分子に化学変化させることができる。更に、通常の標準活性汚泥では水温１５℃以下では微生物が活発に機能しないが、本実施例によれば、担体５１の空孔５２内の活性炭の遠赤外線効果により、例えば水温１０℃以下という悪条件下でも微生物の活性化が維持できる。
なお、処理前・処理後の水質を測定したデータの一例として、処理前の原水では、浮遊物質濃度（ＳＳ）が５４０ｍｇ／Ｌ、ノルマルヘキサン抽出物質（ｎ−Ｈｅｘ）が２２０ｍｇ／Ｌ、生物化学的酸素要求量（ＢＯＤ）が４９０ｍｇ／Ｌ、及び化学的酸素要求量（ＣＯＤ）が９８ｍｇ／Ｌであったのに対し、処理後の被処理水では、浮遊物質濃度（ＳＳ）が１６ｍｇ／Ｌ、ノルマルヘキサン抽出物質（ｎ−Ｈｅｘ）が５ｍｇ／Ｌ以下、生物化学的酸素要求量（ＢＯＤ）が２３ｍｇ／Ｌ、及び化学的酸素要求量（ＣＯＤ）が１７ｍｇ／Ｌに改善した。なお、この際の水温も１０℃以下で運転可能である。
【００６３】
このように、生物処理槽３０内の担体５１がその空孔５２内に残オゾン及び酸素のバブルを集める場となることで、残オゾンの低減・消滅を達成すると同時に、酸素バブルに残オゾンが変化した酸素分子を加えた生物処理に有効な豊富な酸素により、担体５１が担持した好気性微生物の活発化を達成できる。
【００６４】
以下、担体５１を構成する鉱物質を原料とする合成樹脂について説明する。担体５１は、少なくとも表皮部分を形状復元力に富んだ弾性体より構成している。担体の少なくとも外皮部分を形状復元力に富んだ弾性体より構成することにより、被処理水と菌床とが処理槽内における撹拌過程で、少なくとも菌床の表皮部分が菌床相互の衝突、接触により圧縮と復元とを繰り返し、菌床の空孔から水分や空気の吸排が促進され、好気性微生物の繁殖に必要な空気や水分とを菌床の空孔内に十分に供給できる。
【００６５】
また、汚水処理機内では、菌床５０は水にさらされると同時に、微生物の活動によって６０℃近い温度となることがあり得る。さらに、好気性微生物は、通常、中性ないし弱酸性の環境で活発に活動するようになる。しかし、条件によって、有機物を分解する過程でＰＨが低下し、好気性微生物の活動が阻害されてしまうことがある。このような状態を防ぐために、苛性ソーダ、石灰、炭酸カルシウム等を適量、生物処理槽３０の中に投入して、ＰＨ調整を行うことがあり、汚水処理機内はＰＨが大きく変化することがある。
【００６６】
そこで、担体５１を構成する材料としてウレタンスポンジを使用している。ウレタンスポンジは、吸水性、排水性及び耐水性に優れ、酸性環境、アルカリ性環境、高温環境でも劣化することがないため、定期的に担体を補充する必要がなくなる。
【００６７】
また、担体を構成するウレタンスポンジは、その密度をある程度自由に製作することができるという特徴がある。したがって、ウレタンスポンジが、汚水を含んだ状態で浮遊物質（ＳＳ）とほぼ比重が等しくなるように製作すれば、撹拌中に菌床が浮遊物質（ＳＳ）と遊離した状態にならずに、十分接触し、浮遊物質（ＳＳ）の分解が促進されることになる。なお、ウレタンスポンジは、一例であり、ウレタンスポンジと同等の特性を有する材料であれば、使用することができる。
以下、図４の生物処理槽３０内での撹拌作用について説明する。
【００６８】
生物処理槽３０内にて上記した被処理水の回転上昇流が生成されると、菌床５０，５０，…が回転上昇流によって上方に移動され、それまで汚水に没していた菌床５０は、菌床相互の衝突、接触により圧縮と復元とを受けるようになる。このような撹拌作用を繰り返し受けることで、菌床の空孔から水分や空気の吸排が促進され、好気性微生物及び通性嫌気性微生物の繁殖に必要な酸素や水分を菌床の空孔内に十分に供給できるようになる。
【００６９】
このように、撹拌作用と気孔に担持した活性炭、及び酵素の働きとが相まって、菌床５０に担持された好気性微生物、通性嫌気性微生物が活性化し、生物処理槽３０の内部の被処理水に含まれる有機分が分解され、汚水が浄化されるようになっている。
【００７０】
担体５１の構成につき、図７を参照して説明する。
担体の形状は、図６の略直方体だけでなく、図７（ａ）から図７（ｅ）のように略立方体、略球体、略円柱、管状体、略正８面体にすることもできる。また、形状の異なる担体５１を混合して使用することにより、担体同志の隙間を大きく保つことができ、汚水処理槽内の通水性及び通気性をさらに改善することもできる。担体５１の１辺の長さは約５ｍｍから約１０ｃｍとして構成しているが、廃水処理装置１の各槽の容量、処理する汚水の水質（ＢＯＤ，ＣＯＤ，ＳＳ，ｎ−Ｈｅｘ）を考慮して、その大きさを決定できる。
【００７１】
また、図６及び図７（ａ）から図７（ｅ）においては、担体を単一、同一の鉱物質を原料とする合成樹脂から構成しているが、担体の少なくとも表皮部分を形状復元力に富んだ弾性体とし、他の部分を異なる材料から構成することもできる。図７（ｆ）は図７（ａ）のＢ−Ｂ断面、図７（ｇ）は図７（ｂ）のＣ−Ｃ断面を示す。たとえば、図７（ｆ）のように立方体の表皮部分５４を形状復元力に富んだ弾性体とし、コア部分５５を表皮部分５４と比重の異なる鉱物質を原料とする合成樹脂によって構成し、担体の平均比重を汚水または固形分の比重に合うように調整することもできる。また、酵素を豊富に含んだ担体でコア部分５５を構成し、表皮部分５４を形状復元力に富んだ弾性体によって被覆することで、長期にわたって好気性微生物に酵素を供給することもできる。さらに、図７（ｈ）のように、コア部分５５の一部が露出させるように構成することもできる。
【００７２】
以上説明した本発明によれば、オゾン反応槽１０（第１の収容槽）にてオゾンによって殺菌処理された被処理水と残オゾンを、活性炭を含有し微生物を担持した複数の担体５１を有する生物処理槽３０（第２の収容槽）に収容することで、被処理水中を漂う残オゾンのバブルを担体５１に吸着させる結果、オゾン分子同士を積極的に酸素分子に化学変化させて残オゾンを低減できると同時に、水酸基ラジカルを豊富に生成させることで浮遊物質（ＳＳ）や溶解性有機物の分解を促進し、当該酸素分子及び同じく担体５１に吸着した酸素バブルにより生物処理を活性化させることができる。すなわち担体５１をオゾン分解及び生物処理の反応の場として利用できる。またマイクロナノバブル効果により、汚水の抵抗が減って、好気性微生物のみならず担体５１の内部に存在する通性嫌気性微生物をも浸透したマイクロナノバブルにより活性化し、有機物の分解を促進する。このことにより、食物連鎖（微生物同士の共食いを含む）が促進され、余剰な汚泥を発生させることなく、早期且つ高度な生物処理を達成することができる。なお担体５１内部の通性嫌気性微生物はマイクロナノバブルによる水の浸透性の向上により、酸素を含むマイクロナノバブルの供給量が少なくとも水との接触頻度が高まり、活動が活発化するため、バブル発生装置の小型化、省エネルギー化が可能となる。
【００７３】
以上、本発明の実施例を図面により説明してきたが、具体的な構成はこれら実施例に限られるものではなく、本発明の要旨を逸脱しない範囲における変更や追加があっても本発明に含まれる。
【００７４】
例えば、前記実施例では、原水槽４、オゾン反応槽１０、及び生物処理槽３０の順に被処理水を移送して処理しているが、例えば原水槽とオゾン反応槽１０との間、またはオゾン反応槽と生物処理槽３０との間に固液分離装置を介在させる等、別段の装置を付加しても構わない。
【符号の説明】
【００７５】
１                廃水処理装置
２                工場
４                原水槽
５                原水ポンプ
７                移送管
１０              オゾン反応槽（第１の処理槽）
１５              移送ポンプ
１７              移送管
１７ａ            導入口（導入部）
２０              オゾンバブル発生装置（オゾン供給手段）
２５              マイクロナノバブル発生ノズル
２７              吸水ポンプ
２９              オゾン発生装置
３０              生物処理槽（第２の処理槽）
３０ｃ            バブル吐出口
３０ｄ            排出口（排出部）
３９              排水管
４０              酸素（空気）バブル発生装置（酸素供給手段）
４５              マイクロナノバブル発生ノズル
４７              吸水ポンプ
５０              菌床
５１              担体
５２              空孔
５８              活性炭
【図１】
2019135043.tif 000003
【図２】
2019135043.tif 000004
【図３】
2019135043.tif 000005
【図４】
2019135043.tif 000006
【図５】
2019135043.tif 000007
【図６】
2019135043.tif 000008
【図７】
2019135043.tif 000009